(57)【要約】【課題】  デジタル放送で提供されるコンテンツ情報について融通性のある利用条件を設定可能とすること。【解決手段】  本実施の形態に係るデジタル放送システム１によれば、放送局側システム２は、利用条件識別子Ｃ１、通知要件部Ｃ２および取得要件部Ｃ３によって、コンテンツ情報に利用条件を設定することができる。そして、受信局側システム３においては、コンテンツ情報に設定された利用条件を識別し、その利用条件に応じてコンテンツ情報の利用を実行することが可能となる。したがって、デジタル放送で提供されるコンテンツ情報について融通性のある利用条件を設定することが可能となる。【選択図】  図２
2005109859.tif 000002
【特許請求の範囲】
【請求項１】
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムであって、
前記付随情報が、前記コンテンツ情報の利用条件を示す利用条件情報を含み、
前記受信局側システムが、利用が指示された前記コンテンツ情報の前記利用条件情報に基づいて、利用条件の内容を識別する利用条件識別手段と、前記利用条件識別手段によって識別された内容が、前記放送局側システムへのアクセスを必要とする内容である場合に、前記利用条件情報に応じたアクセス情報を前記放送局側システムに送信するアクセス情報送信手段と、を含むことを特徴とするデジタル放送システム。
【請求項２】
請求項１に記載のデジタル放送システムにおいて、
前記受信局側システムが、利用が指示された前記コンテンツ情報について、利用の実行を管理する実行管理手段をさらに含み、前記利用条件識別手段によって識別された内容が、前記コンテンツ情報の利用の実行に先立って前記放送局側システムへのアクセスを必要とする内容である場合に、前記実行管理手段が、前記コンテンツ情報の利用を実行させないことが可能であることを特徴とするデジタル放送システム。
【請求項３】
請求項２に記載のデジタル放送システムにおいて、
前記アクセス情報が前記受信局側システムから前記放送局側システムに送信されることに対応して、前記実行管理手段が、前記コンテンツ情報の利用を実行可能な状態にすることを特徴とするデジタル放送システム。
【請求項４】
請求項１または請求項３に記載のデジタル放送システムにおいて、
前記利用条件情報には、前記コンテンツ情報の利用を前記放送局側システムに通知する旨の指示が含まれ、前記アクセス情報送信手段が、前記コンテンツ情報の利用を通知する旨の前記アクセス情報を前記放送局側システムに送信することを特徴とするデジタル放送システム。
【請求項５】
請求項２に記載のデジタル放送システムにおいて、
前記アクセス情報に応じた応答情報を送信する応答情報送信手段をさらに含み、
前記アクセス情報送信手段が、前記利用条件情報に応じた前記アクセス情報を前記放送局側システムに送信し、前記応答情報送信手段によって送信された前記応答情報を受信することに対応して、前記実行管理手段が、前記コンテンツ情報の利用を実行可能な状態にすることを特徴とするデジタル放送システム。
【請求項６】
請求項５に記載のデジタル放送システムにおいて、
前記利用条件情報には、前記コンテンツ情報の利用について前記放送局側システムの許可を取得する旨の指示が含まれ、前記アクセス情報送信手段が、前記放送局側システムの許可を取得するための前記アクセス情報を前記放送局側システムに送信し、前記応答情報送信手段が、前記アクセス情報に応じて前記コンテンツ情報の利用についての許可を示す前記応答情報を前記受信局側システムに送信することを特徴とするデジタル放送システム。
【請求項７】
請求項１から請求項６のいずれか１項に記載のデジタル放送システムにおいて、
前記放送局側システムが、前記受信局側システムの要求に応じて前記放送データを加工するための加工用データを提供することが可能であり、前記受信局側システムが、前記加工用データによって前記放送データを加工可能であることを特徴とするデジタル放送システム。
【請求項８】
請求項１から請求項７のいずれか１項に記載のデジタル放送システムにおいて、
前記受信局側システムが、受信した前記放送データを指示された内容に加工可能であることを特徴とするデジタル放送システム。
【請求項９】
請求項１から請求項８のいずれか１項に記載のデジタル放送システムにおいて、
前記受信局側システムが、前記コンテンツ情報の利用を実行する出力装置の指定を受け付けることが可能であり、指定された前記出力装置に前記放送データを送信することを特徴とするデジタル放送システム。
【請求項１０】
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける放送局側システムであって、
前記コンテンツ情報の所定の利用条件を示す利用条件情報を前記付随情報に含めて送信することが可能であることを特徴とする放送局側システム。
【請求項１１】
前記利用条件情報に基づいて、前記受信局側システムから送信されるアクセス情報に応じた応答情報を送信する応答情報送信手段をさらに含むことを特徴とする請求項１０記載の放送局側システム。
【請求項１２】
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける受信局側システムであって、
前記付随情報が、前記コンテンツ情報の利用条件を示す利用条件情報を含み、
利用が指示された前記コンテンツ情報の前記利用条件情報に基づいて、利用条件の内容を識別する利用条件識別手段と、前記利用条件識別手段によって識別された内容が、前記放送局側システムへのアクセスを必要とする内容である場合に、前記利用条件情報に応じたアクセス情報を前記放送局側システムに送信するアクセス情報送信手段と、を含むことを特徴とする受信局側システム。
【請求項１３】
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける受信局側システムのための管理プログラムであって、
前記付随情報が、前記コンテンツ情報の利用条件を示す利用条件情報を含み、
利用が指示された前記コンテンツ情報の前記利用条件情報に基づいて、利用条件の内容を識別する利用条件識別機能と、前記利用条件識別機能によって識別された内容が、前記放送局側システムへのアクセスを必要とする内容である場合に、前記利用条件情報に応じたアクセス情報を前記放送局側システムに送信するアクセス情報送信機能と、をコンピュータに実現させることを特徴とする管理プログラム。
【発明の詳細な説明】
【技術分野】
【０００１】
本発明は、デジタル放送システム、放送局側システム、受信局側システムおよび管理プログラムに関する。
【背景技術】
【０００２】
従来、デジタル放送では、画像、映像、音声、音楽、文字、プログラム等の多種多様なコンテンツ情報が放送局側システム（以下、「放送局側」という。）から不特定多数の受信局側システム（以下、「受信局側」という。）に向けて同時に提供され、受信局側は、放送されたコンテンツ情報の中から利用したい情報だけを受信して利用できる。
通常、情報の利用内容には、視聴や再生等による閲覧、印刷及び不揮発性のメモリや記録媒体への保存による複製、転用や配布等による二次使用があり、同じコンテンツ情報でもその利用目的によって利用内容が異なる。
【０００３】
一方、デジタル放送で提供されるコンテンツ情報の中にはこれらの利用内容について利用上の制約（利用条件）を持つものが少なくない。
特に、情報の複製や二次使用については著作権や肖像権の保護を含め、厳しい制約を設けるのが一般的であり、以前からデジタル放送で提供されるコンテンツ情報の不正な利用を防止して、適正な利用を促進させる仕組みが求められていた。
【０００４】
このような従来のデジタル放送システムとして、デジタル放送されたコンテンツ情報の中から受信局側で予め設定した条件（番組と情報の種類）に合致するものだけを印刷出力するデジタル放送システムが知られている（例えば、特許文献１参照）。
【特許文献１】特開２００１−１８６４４９号公報（第４〜第７頁、図６、図９）
【発明の開示】
【発明が解決しようとする課題】
【０００５】
しかし、特許文献１に開示される従来のデジタル放送システムでは、印刷の可否が設定されたコンテンツ情報が一旦放送された後には、印刷の可否に関する判断や印刷を行うための処理を受信局側が単独で行うものである。そのため、コンテンツ情報の印刷について、設定可能な条件が限定されることとなっていた。
つまり、従来のデジタル放送システムにおいては、印刷を含む種々の利用形態に関し、コンテンツ情報について融通性のある利用条件を設定することが困難であるという課題がある。
【０００６】
具体的には、以下のような課題がある。
即ち、デジタル放送で提供されたコンテンツ情報の印刷が、著作権や肖像権の保有者の許可を得て可能なものや、有償で可能なものである場合に、これらが利用条件に示されても受信局側での印刷は自由にできてしまうため、放送局側は、提供するコンテンツ情報について受信局側での印刷を管理できず、不正な印刷を防止することができないという課題がある。
【０００７】
また、特許文献１に開示される従来のデジタル放送システムでは、デジタル放送で提供したコンテンツ情報の印刷に関する情報が、受信局側から放送局側に提供されなかった。そのため、放送局側は、提供したコンテンツ情報の利用状況をモニターすることや、放送番組の内容を充実させるために必要な情報を収集することや、受信局側での利用内容に応じた画質の提供や、再利用に対する利用条件の設定等ができないという課題もある。
【０００８】
さらに、特許文献１に開示される従来のデジタル放送システムでは、印刷したいコンテンツ情報が、印刷において必要となる解像度に満たない等、目的に対して不十分な場合や、データエラー等の発生により、印刷したいコンテンツ情報が不完全な場合に、コンテンツ情報の補完や修復等を行うことができないという課題がある。
また、受信局側で印刷が指示された画面が特定の印刷装置に出力されるだけなので、受信局側は、利用したいコンテンツ情報の出力形式を利用目的に応じて選択することや、外出先等の任意の場所で入手して利用することができないという課題がある。
【０００９】
本発明の目的は、デジタル放送で提供されるコンテンツ情報について融通性のある利用条件を設定可能とすることである。
【課題を解決するための手段】
【００１０】
本発明のデジタル放送システムは、視聴対象となるコンテンツ情報（例えば、図１のデータ部Ａ２）及び、前記コンテンツ情報に付随する付随情報（例えば、図１のヘッダ部Ａ１）を含む放送データ（例えば、図１の放送データ）を提供する放送局側システム（例えば、図２の放送局側システム２）と、前記放送データを受信する受信局側システム（例えば、図２の受信局側システム３）と、を含み、前記受信局側システムから前記放送局側システムにアクセス可能に構成されたデジタル放送システムであって、前記付随情報が、前記コンテンツ情報の利用条件を示す利用条件情報（例えば、図１の利用条件情報部Ｂ２）を含み、前記受信局側システムが、利用が指示された前記コンテンツ情報の前記利用条件情報に基づいて、利用条件の内容を識別する利用条件識別手段（例えば、図３の利用条件識別部３３）と、前記利用条件識別手段によって識別された内容が、前記放送局側システムへのアクセスを必要とする内容である場合に、前記利用条件情報に応じたアクセス情報を前記放送局側システムに送信するアクセス情報送信手段（例えば、図３のアクセス情報送信部３４）と、を含むことを特徴とする。
【００１１】
この発明によれば、デジタル放送で提供されたコンテンツ情報の利用に際し、放送局側は、利用条件情報を設定することにより、受信局側から放送局側に利用に関する情報を送信させることが可能なので、提供するコンテンツ情報の利用について融通性のある利用条件を設定することができる。
ここで、設定が可能な利用条件には、例えば、利用内容の通知や、利用許可の要求や、放送データを加工するための加工用データの要求等を受信局側に義務付けるための指示が含まれる。
【００１２】
また、本発明のデジタル放送システムは、前記受信局側システムが、利用が指示された前記コンテンツ情報について、利用の実行を管理する実行管理手段（例えば、図３の実行管理部３５）をさらに含み、前記利用条件識別手段によって識別された内容が、前記コンテンツ情報の利用の実行に先立って前記放送局側システムへのアクセスを必要とする内容である場合に、前記実行管理手段が、前記コンテンツ情報の利用を実行させないことが可能であることを特徴とする。
【００１３】
この発明によれば、デジタル放送で提供されたコンテンツ情報の利用に際し、放送局側は、利用条件情報に、利用の実行に先立ってアクセスが必要な内容を設定し、受信局側にコンテンツ情報の利用を実行させないことが可能なので、提供するコンテンツ情報が放送局側に無断で利用されないようにすることができる。
さらに、本発明のデジタル放送システムは、前記アクセス情報が前記受信局側システムから前記放送局側システムに送信されることに対応して、前記実行管理手段が、前記コンテンツ情報の利用を実行可能な状態にすることを特徴とする。
【００１４】
この発明によれば、デジタル放送で提供されたコンテンツ情報の利用に際し、受信局側にアクセス情報を確実に送信させることが可能となる。
さらに、本発明のデジタル放送システムは、前記利用条件情報には、前記コンテンツ情報の利用を前記放送局側システムに通知する旨の指示が含まれ、前記アクセス情報送信手段が、前記コンテンツ情報の利用を通知する旨の前記アクセス情報を前記放送局側システムに送信することを特徴とする。
【００１５】
この発明によれば、デジタル放送で提供されたコンテンツ情報の利用に際し、受信局側が、コンテンツ情報に設定された利用条件で指示された利用内容を放送局側に通知するので、放送局側は、利用条件情報を設定することにより、提供するコンテンツ情報の利用について、利用ニーズを把握したり、利用状況をモニターしたり、あるいは、視聴率等の算出に必要な情報を収集することができる。
【００１６】
さらに、本発明のデジタル放送システムは、前記アクセス情報に応じた応答情報を送信する応答情報送信手段（例えば、図２の利用管理装置１２）をさらに含み、前記アクセス情報送信手段が、前記利用条件情報に応じた前記アクセス情報を前記放送局側システムに送信し、前記応答情報送信手段によって送信された前記応答情報を受信することに対応して、前記実行管理手段が、前記コンテンツ情報の利用を実行可能な状態にすることを特徴とする。
【００１７】
この発明によれば、デジタル放送で提供されたコンテンツ情報の利用に際し、受信局側は、放送局側からアクセス情報に対する応答情報を受信しないとコンテンツ情報を利用することができないので、放送局側は、受信局側での利用を管理することができる。
さらに、本発明のデジタル放送システムは、前記利用条件情報には、前記コンテンツ情報の利用について前記放送局側システムの許可を取得する旨の指示が含まれ、前記アクセス情報送信手段が、前記放送局側システムの許可を取得するための前記アクセス情報を前記放送局側システムに送信し、前記応答情報送信手段が、前記アクセス情報に応じて前記コンテンツ情報の利用についての許可を示す前記応答情報を前記受信局側システムに送信することを特徴とする。
【００１８】
この発明によれば、デジタル放送で提供されたコンテンツ情報の利用に際し、放送局側は、受信局側からの要求に応じてコンテンツ情報の利用許可を与えることができるので、放送局側は、提供するコンテンツ情報について受信局側での不正な利用を防止することができる。
さらに、本発明のデジタル放送システムは、前記放送局側システムが、前記受信局側システムの要求に応じて前記放送データを加工するための加工用データを提供することが可能であり、前記受信局側システムが、前記加工用データによって前記放送データを加工可能であることを特徴とする。
【００１９】
この発明によれば、デジタル放送で提供されたコンテンツ情報の利用に際し、受信局側は、利用したいコンテンツ情報が利用の目的に対して不十分な場合や、データエラー等で不完全な場合に、放送局側に要求してコンテンツ情報の補完や修復等が可能なので、利用目的に適う画質や音質を得て利用することができる。
また、受信局側の要求には、利用条件として放送局側に指示されることにより行う要求も含まれる。即ち、放送局側は、受信局側から加工用データの要求をさせ、利用が指示された放送データについて、例えば、受信局側の利用内容に応じた画質や音質の提供、及び、転用や配布等の再利用に対する利用条件の再設定ができる。
【００２０】
さらに、本発明のデジタル放送システムは、前記受信局側システムが、受信した前記放送データを指示された内容に加工可能であることを特徴とする。
この発明によれば、デジタル放送で提供されたコンテンツ情報の利用に際し、受信局側は、コンテンツ情報を含む放送データを加工することが可能なので、利用したいコンテンツ情報の出力形式を利用目的や出力装置の制限内容（例えば、表示サイズやメモリサイズ等）に応じて選択することができる。
【００２１】
ここで、選択可能な出力形式には、例えば文字出力があり、画像情報や音声情報を文字情報に変換して利用することができる。また、他の出力形式として、例えば音声出力があり、画像情報や文字情報を音声情報に変換して利用することもできる。
さらに、本発明のデジタル放送システムは、前記受信局側システムが、前記コンテンツ情報の利用を実行する出力装置（例えば、図２の情報端末５、視聴装置２３、印刷装置２４あるいは記憶装置２５）の指定を受け付けることが可能であり、指定された前記出力装置に前記放送データを送信することを特徴とする。
【００２２】
この発明によれば、デジタル放送で提供されたコンテンツ情報の利用に際し、受信局側は、コンテンツ情報を含む放送データの出力先や転送先が指示できるので、利用場所を限定することなくコンテンツ情報を入手して利用することができる。
ここで、コンテンツ情報を出力する出力装置には、例えば、外出先や屋外で通信ネットワークシステムに接続可能な携帯電話や情報端末やカーナビゲーション装置等が含まれる。
【００２３】
また、本発明の放送局側システムは、
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける放送局側システムであって、  前記コンテンツ情報の所定の利用条件を示す利用条件情報を前記付随情報に含めて送信することが可能であることを特徴とする。
【００２４】
また、本発明の放送局側システムは、
記利用条件情報に基づいて、前記受信局側システムから送信されるアクセス情報に応じた応答情報を送信する応答情報送信手段をさらに含むことを特徴とする。
また、本発明の受信局側システムは、
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける受信局側システムであって、前記付随情報が、前記コンテンツ情報の利用条件を示す利用条件情報を含み、利用が指示された前記コンテンツ情報の前記利用条件情報に基づいて、利用条件の内容を識別する利用条件識別手段と、前記利用条件識別手段によって識別された内容が、前記放送局側システムへのアクセスを必要とする内容である場合に、前記利用条件情報に応じたアクセス情報を前記放送局側システムに送信するアクセス情報送信手段と、を含むことを特徴とする。
【００２５】
また、本発明の管理プログラムは、
視聴対象となるコンテンツ情報及び、前記コンテンツ情報に付随する付随情報を含む放送データを提供する放送局側システムと、前記放送データを受信する受信局側システムとを含み、前記受信局側システムから前記放送局側システムにアクセス可能に構成されたデジタル放送システムにおける受信局側システムのための管理プログラムであって、前記付随情報が、前記コンテンツ情報の利用条件を示す利用条件情報を含み、利用が指示された前記コンテンツ情報の前記利用条件情報に基づいて、利用条件の内容を識別する利用条件識別機能と、前記利用条件識別機能によって識別された内容が、前記放送局側システムへのアクセスを必要とする内容である場合に、前記利用条件情報に応じたアクセス情報を前記放送局側システムに送信するアクセス情報送信機能と、をコンピュータに実現させることを特徴とする。
【００２６】
このように、本発明によれば、デジタル放送で提供されるコンテンツ情報について融通性のある利用条件を設定することが可能となる。
【発明を実施するための最良の形態】
【００２７】
以下、図を参照して本発明に係るデジタル放送システムの実施形態を詳細に説明する。
まず、本発明に係るデジタル放送システムの基本概念について説明する。
本発明において、放送対象であるコンテンツ情報には、所定の利用条件が設定されている。そして、放送局側システム（放送局側）が、放送対象であるコンテンツ情報と、その利用条件を示す情報とを含む放送データを、受信局側システム（受信局側）に放送する。一方、受信局側においては、受信した放送データについて、コンテンツ情報の利用条件を識別し、利用条件によって指示された情報を放送局側に送信したり、利用条件に応じた情報を放送局側から受信したりする。
【００２８】
ここで、利用条件とは、コンテンツ情報の利用に関する制約や許可要件を意味し、具体的には、利用条件として、利用意思の明示や、利用内容の通知や、利用内容に対する誓約や、課金に対する承諾や、利用内容に対する許可の取得や、コンテンツ情報に関連する指定データの取得等がコンテンツ情報の利用者に義務付けられている。
したがって、初めに、コンテンツ情報の利用条件を含む放送データについて説明する。
【００２９】
図１は、本発明の一実施形態に係る放送データのデータ構成を示す図である。図１において、図１（ａ）は放送データ全体のデータ構成を示し、図１（ｂ）は、図１（ａ）におけるヘッダ部Ａ１のデータ構成を示し、図１（ｃ）は、図１（ｂ）における利用条件部Ｂ２のデータ構成の一例を示している。
図１（ａ）において、放送データは、放送対象のコンテンツ情報に関する付随情報からなるヘッダ部Ａ１と、放送対象のコンテンツ情報からなるデータ部Ａ２とによって構成されている。
【００３０】
また、ヘッダ部Ａ１は、図１（ｂ）に示すように、データ識別子Ｂ１と、利用条件情報部Ｂ２と、その他の付随情報からなる付随情報部Ｂ３とで構成されている。
図１（ｂ）において、データ識別子Ｂ１は、放送データ及び放送データに含まれるコンテンツ情報を識別するための情報（例えば、番組コード、コンテンツ情報の種類、コンテンツ識別コード、放送時刻等）を含んでいる。
【００３１】
また、利用条件情報部Ｂ２は、図１（ｃ）に示すように、利用条件識別子Ｃ１と、通知要件部Ｃ２と、取得要件部Ｃ３とによって構成される。
利用条件識別子Ｃ１は、利用条件が設定されている利用形態を特定する情報（例えば、“視聴”、“印刷”、“保存”、“転送”等）や、利用に伴い放送局側へのアクセスを要求するタイミング（例えば、“利用に先立ってアクセスが必要である”等）を示す情報を含んでいる。
【００３２】
なお、利用条件識別子Ｃ１には、コンテンツ情報の利用に際し、受信局側の要求に応じて放送局側が提供可能なデータを識別する情報を示すことも可能である。
通知要件部Ｃ２は、コンテンツ情報の利用において、放送局側が受信局側に通知を求める内容と、その通知先アドレスとを示している。放送局側が通知を求める内容として、例えば、利用の意思や、利用に関する具体的な内容（例えば、コンテンツ情報を出力する装置名、その出力装置の設定内容、出力データ形式等）や、課金に対する承諾や、利用についての誓約や、受信局側のアドレス等が挙げられる。
【００３３】
なお、通知要件部Ｃ２に有効な情報が含まれていない場合には、コンテンツ情報の利用に条件が設定されていながら、放送局側へのアクセスが認められていないことから、利用の禁止を意味するものとなる。
また、通知先アドレスとして、複数のアドレスを示すことが可能であり、それにより、アクセスの集中を回避したり、複数の提供者によってコンテンツ情報が提供されている場合に対応したりすることが可能となる。
【００３４】
取得要件部Ｃ３は、コンテンツ情報の利用において、放送局側が受信局側に取得を要求する内容を示し、放送局側が取得を要求する内容として、例えば、コンテンツ情報の利用に対する許可や、コンテンツ情報の加工に用いる加工用データの取得を要求する内容等が示されている。
なお、コンテンツ情報の利用において、放送局側が情報の取得を要求しない場合には、取得要件部Ｃ３を付加しないこととしても良い。
【００３５】
また、加工用データは、利用対象であるコンテンツ情報を含む放送データを加工するためのデータである。加工用データを用いて放送データを加工することにより、放送データの補完あるいは置換を行って画質や音質を向上させたり、転用や再配布等に対して制限が課される形式に放送データを加工して、著作権や肖像権を保護したりすることができる。
次に、構成について説明する。
【００３６】
図２は、本発明の一実施形態に係るデジタル放送システム１の構成図である。
図２において、デジタル放送システム１は、放送局側システム２と、受信局側システム３と、情報端末５とを備え、放送局側システム２と、受信局側システム３と、情報端末５は、通信ネットワーク４を介して通信可能に構成されている。
放送局側システム２は、放送対象であるコンテンツ情報をデジタル放送するシステムであり、放送送信装置１１と、利用管理装置１２とをさらに備えている。
【００３７】
なお、放送局側システム２として、デジタル地上波放送や、ＢＳ（Ｂｒｏａｄｃａｓｔｉｎｇ  Ｓａｔｅｌｌｉｔｅ）放送や、ＣＳ（Ｃｏｍｍｕｎｉｃａｔｉｏｎ  Ｓａｔｅｌｌｉｔｅ）放送や、ＣＡＴＶ（Ｃｏｍｍｕｎｉｔｙ  Ａｎｔｅｎｎａ  Ｔｅｌｅｖｉｓｉｏｎ）放送等の放送局側システムを採用することが可能である。
図２において、放送送信装置１１は、利用条件が設定されたコンテンツ情報に基づいて、図１に示す放送データを作成し、作成した放送データをデジタル放送する。
【００３８】
利用管理装置１２は、放送されたコンテンツ情報の利用について、受信局側からのアクセスに対する対応を行う情報処理装置であって、受信局側から行われるアクセスに対応して、以下に説明するモニタリング処理や、認証処理や、ダウンロード処理等の情報処理（以下、「アクセス対応処理」という。）を行う。
モニタリング処理とは、放送局側が、コンテンツ情報の利用状況を把握するために行う視聴率調査あるいは嗜好分析等の情報処理である。
【００３９】
また、認証処理とは、放送局側が、受信局側から通知されたコンテンツ情報の利用内容について、受信局側に利用許可を与えるために行う情報処理である。
また、ダウンロード処理とは、放送局側が、通知された利用内容に対応して加工用データを受信者側に提供するために行うデータ検索やデータ生成等の情報処理である。
受信局側システム３は、デジタル放送を受信し、受信したコンテンツ情報の視聴や、印刷や、保存や、転送等を行うシステムであり、指示入力装置２１と、放送受信装置２２と、視聴装置２３と、印刷装置２４と、記憶装置２５と、回線接続装置２６をさらに備えている。
【００４０】
指示入力装置２１は、リモコン装置や、ＰＣ（Ｐｅｒｓｏｎａｌ  Ｃｏｍｐｕｔｅｒ）等の入力装置であって、コンテンツ情報を利用する情報利用者からの指示をキー入力や音声入力で受け付け、指示入力の内容を利用指示データとして出力する。利用指示データには、利用対象であるコンテンツ情報を選択するための選択条件（例えば、放送番組コード、放送受信時刻、コンテンツ情報の種類、コンテンツ情報の識別子等）や、利用が指示されたコンテンツ情報の具体的な利用内容（例えば、出力装置とその設定内容、出力先アドレス、出力データ形式等）や、放送局側への要求内容（例えば、利用許可あるいは加工用データの送信要求等）が含まれる。
【００４１】
放送受信装置２２は、入力された利用指示データに基づいて、選択条件に合致するコンテンツ情報を受信する。また、放送受信装置２２は、受信したコンテンツ情報に設定された利用条件に従って、放送データを利用指示データによって指示された形式のデータ（以下、「利用データ」という。）に変換して出力する。なお、放送受信装置２２は、放送局側システム２に対応して、デジタル地上波放送や、ＢＳ放送や、ＣＳ放送や、ＣＡＴＶ放送や、の受信装置を採用することが可能である。
【００４２】
また、放送受信装置２２は、受信したコンテンツ情報の利用条件を識別し、放送局側にアクセスする必要がある場合には、放送データの通知要件部Ｃ２で指示された内容のアクセス情報（後述）を回線接続装置２６に出力し、放送局側にアクセスする必要がない場合には、利用指示データで指示された内容の利用データを出力する。
さらに、放送受信装置２２は、放送データの取得要件部Ｃ３で指示された内容がある場合には、自装置が送信したアクセス情報に対応して放送局側から送信される応答情報（後述）を回線接続装置２６から受信する。
【００４３】
ここで、アクセス情報とは、受信局側が放送局側に利用内容や要求内容を通知するための情報である。アクセス情報には、利用対象であるコンテンツ情報の識別コードと、発信元である受信局側のアドレスと、コンテンツ情報の利用条件で指示された通知の内容が含まれ、さらに、アクセス情報の発信時刻や、利用内容に対する受信局側の要求内容等も含まれる。
【００４４】
また、応答情報とは、受信局側からのアクセス情報に対応して、放送局側から受信局側に送信される情報である。応答情報には、放送局側が、アクセス情報の内容について行った認証処理の結果（利用許可）や、ダウンロード処理の結果（加工用データ）等が含まれる。
なお、放送受信装置２２の機能構成については、さらに詳しく後述する。
【００４５】
視聴装置２３は、例えばモニターテレビや液晶プロジェクタ等によって構成され、放送受信装置２２から利用データを受け取り、利用データにおいて、視聴が指示されたコンテンツ情報を、映像や音声としてディスプレイあるいはスピーカ等に出力する。
印刷装置２４は、例えばプリンタやプロッタ等によって構成され、放送受信装置２２から利用データを受け取り、利用データにおいて、印刷が指示されたコンテンツ情報を紙等にハードコピーする。
【００４６】
記憶装置２５は、例えばフラッシュメモリ等の半導体メモリや、ＨＤ（Ｈａｒｄ  Ｄｉｓｋ）や、ＣＤ（Ｃｏｍｐａｃｔ  Ｄｉｓｋ）や、ＤＶＤ（Ｄｉｇｉｔａｌ  Ｖｅｒｓａｔｉｌｅ  Ｄｉｓｋ）や、ＭＯ（Ｍａｇｎｅｔｏ  Ｏｐｔｉｃａｌ  Ｄｉｓｋ）等の記憶装置によって構成され、放送受信装置２２から利用データを受け取り、利用データにおいて、保存が指示されたコンテンツ情報を記憶する。
【００４７】
回線接続装置２６は、例えばモデム装置や、ＬＡＮ（Ｌｏｃａｌ  Ａｒｅａ  Ｎｅｔｗｏｒｋ）インターフェース装置等の通信インターフェース装置によって構成され、放送受信装置２２あるいは記憶装置２５から入力されたデータを通信ネットワーク４によって送信するための形式に変換したり、通信ネットワーク４を介して受信したデータを元の形式に戻したりする。
【００４８】
具体的には、回線接続装置２６は、放送受信装置２２から入力されたアクセス情報をネットワーク４を介して放送局側システム２に送信したり、ネットワーク４を介して放送局側システム２から受信した応答情報を放送受信装置２２に出力したりする。また、回線接続装置２６は、利用指示データで転送が指示された利用データをネットワーク４を介して情報端末５に送信する。
【００４９】
なお、ここでは、受信局側システム３が、入力装置２１、放送受信装置２２、視聴装置２３、印刷装置２４、記憶装置２５、回線接続装置２６を全て備えていることとして説明したが、これらのいずれかを任意の組み合わせて備えることも可能である。
通信ネットワーク４は、インターネットや、ＬＡＮや、ＣＡＴＶや、ＩＳＤＮ等のデジタル通信ネットワークであって、通信ネットワーク４に接続可能な情報端末間において送受信される情報の伝達を行う。
【００５０】
情報端末５は、携帯電話や、ＰＤＡ（Ｐｅｒｓｏｎａｌ  Ｄｉｇｉｔａｌ  Ａｓｓｉｓｔａｎｃｅ）や、ＰＣや、カーナビゲーション装置等の情報処理装置であって、通信ネットワーク４を介して受信局側システム３から転送されたコンテンツ情報を受信し、視聴や印刷あるいは保存等、情報端末５が有する機能に応じた形態でコンテンツ情報の利用を行うことが可能である。
【００５１】
次に、図２に示す放送受信装置２２の機能構成について説明する。
図３は、放送受信装置２２の機能構成を示すブロック図である。
図３において、放送受信装置２２は、利用指示設定部３１と、放送受信部３２と、利用条件識別部３３と、アクセス情報送信部３４と、実行管理部３５と、利用データ加工部３６と、利用データ出力部３７とを備えている。
【００５２】
利用指示設定部３１は、指示入力装置２１から入力された利用指示データを受け取り、利用指示データの内容を利用形態毎に利用指示情報として設定する。そして、利用指示設定部３１は、放送受信装置２２を構成する各機能構成要素（３２〜３７）に利用指示情報を出力する。
ここで、利用指示情報は、視聴、印刷、保存、転送といった利用の種類毎に設定され、さらに、コンテンツ情報の出力先として指定された機器を具体的に特定可能な情報（出力指示内容）を含めることが可能である。即ち、印刷装置を複数指定可能な場合等、同一の利用形態に対応する機器が複数接続されている場合、出力指示内容によって、いずれかの機器を個別に指定することが可能である。
【００５３】
なお、利用指示情報は、利用対象であるコンテンツ情報について、上述のように利用の種類毎に設定する他、さらに詳細な利用形態に対応して、コンテンツ情報の利用が行われる機器毎に設定することも可能である。
放送受信部３２は、デジタル放送のチャネルを選択したり、受信した放送データを復調したりする機能を備えている。そして、放送受信部３２は、利用指示情報の選択条件で利用が指示されたコンテンツ情報を含む放送データを受信し、受信した放送データを出力する。
【００５４】
なお、利用指示情報には利用指示データの放送受信時刻が設定されるので、放送受信部３２は、予約された内容で放送を受信することができる。
利用条件識別部３３は、利用が指示されたコンテンツ情報について、そのコンテンツ情報に設定された利用条件の内容を識別する。例えば、利用条件識別部３３は、利用が指示されたコンテンツ情報の利用条件について、利用条件が設定されている利用形態の種類、放送局側にアクセスが必要であるか否か、通知要件部Ｃ２の指示内容、あるいは、取得要件部Ｃ３の指示内容を識別する。
【００５５】
アクセス情報送信部３４は、利用条件識別部３３の識別結果と放送データとに基づいてアクセス情報を生成し、回線接続装置２６に出力する。具体的には、アクセス情報送信部３４は、利用条件識別部３３で識別された内容が、放送局側へのアクセスを必要とする内容である場合に、放送データの通知要件部Ｃ２で指示された内容のアクセス情報を回線接続装置２６から放送局側に送信する。そして、アクセス情報の送信が完了すると、アクセス情報を放送局側に送信したことを示す旨の信号を実行管理部３５に出力する。
【００５６】
実行管理部３５は、印刷装置２４等の出力先の機器に利用データを出力することが可能か否か（即ち、コンテンツ情報の利用を実行することが可能であるか否か）を判定し、その判定結果に応じて、利用データ出力部３７における利用データの出力を管理する。
具体的には、利用条件識別部３３において、指示された利用内容に該当する利用条件が識別されない場合には、実行管理部３５は、利用データ出力部３７における利用データの出力を可能にする。
【００５７】
一方、利用条件識別部３３において、指示された利用内容に該当する利用条件が識別された場合には、実行管理部３５は、さらに、以下のような処理を行う。
即ち、利用条件識別部３３で識別された内容が、コンテンツ情報の利用に先立って放送局側にアクセスを必要とするものであるときには、実行管理部３５は、利用データ出力部３７おける利用データの出力を禁止する。
【００５８】
また、利用条件識別部３３で識別された内容が、コンテンツ情報の利用に先立って放送局側にアクセスを必要とするものであり、取得要件部Ｃ３には指示内容がない場合は、アクセス情報送信手段３４からアクセス情報を放送局側に送信したことを示す旨の信号を受け取ると、実行管理部３５は、利用データ出力部３７における利用データの出力を可能にする。
【００５９】
また、利用条件識別部３３で識別された内容が、コンテンツ情報の利用に先立って放送局側にアクセスを必要とするものであり、取得要件部Ｃ３の指示内容が加工用データの取得以外である場合は、取得要件部Ｃ３で指示された内容の応答情報を受け取ると、実行管理部３５は、利用データ出力部３７における利用データの出力を可能にする。
さらに、利用条件識別部３３で識別された内容が、コンテンツ情報の利用に先立って放送局側にアクセスを必要とするものであり、取得要件部Ｃ３の指示内容が加工用データの取得である場合は、放送データ加工部３６から放送データの加工が完了したことを示す旨の信号を受けて、実行管理部３５は、利用データ出力部３７における利用データの出力を可能にする。
【００６０】
また、図３において、放送データ加工部３６は、利用指示情報の出力指示内容と、利用が指示されたコンテンツ情報の利用条件に含まれる取得要件の内容に従って、放送受信部３２が受信した放送データを加工する。
具体的には、放送データ加工部３６は、利用指示情報の出力指示内容において放送データの加工が指示されると、放送受信部３２から入力される放送データを出力指示内容に応じて加工し、加工した放送データを利用データ出力部３７に出力する（加工処理１）。
【００６１】
なお、加工処理１における加工には、例えば、画像情報を文字情報に変換するための加工や、音声情報を文字情報に変換するための加工や、文字情報を音声情報に変換するための加工等が含まれる。
また、放送データ加工部３６は、指示された利用内容に該当する利用条件について、利用条件識別部３３で識別された内容が、コンテンツ情報の利用に先立って放送局側にアクセスを必要とするものであり、取得要件部Ｃ３の指示内容が加工用データの取得である場合は、取得要件部Ｃ３で指示された内容の応答情報（加工用データ）が入力されることに対応して、放送受信部３２から入力される放送データを加工し、加工した放送データを利用データ出力部３７に出力する。そして、放送データの加工が完了したこと示す旨の信号を実行管理部３５に出力する（加工処理２）。
【００６２】
なお、加工処理２における加工には、例えば、放送データに対する補完や、置換等が含まれる。
利用データ出力部３７は、実行管理部３５によって利用データの出力が可能とされた場合に、利用指示情報の出力指示内容で指示された利用データを印刷装置２４等の出力先の機器に出力する。
【００６３】
次に、動作について説明する。
まず、放送局側システム２の放送送信装置１１が行う放送送信処理について説明する。
図４は、放送送信装置１１が行う放送送信処理を示すフロー図である。放送送信処理は、利用条件が設定されたコンテンツ情報の放送が指示されることに対応して開始される。なお、ここでは、放送対象である画像（以下、「画像Ｃ」という。）の利用条件として、「印刷する際には、印刷に先立って放送局側へ通知することを要する」および「保存する際には、放送局側の許可を得ることを要する」という条件が課されているものとする。以下、放送受信処理およびアクセス対応処理の説明においても同様である。
【００６４】
図４において、放送送信処理が開始されると、放送送信装置１１は、画像Ｃについて、図１（ａ）に示す放送データを作成する（ステップＳ１）。
そして、放送送信装置１は、ステップＳ１において作成した放送データを放送し（ステップＳ２）、放送送信処理を終了する。
放送送信処理が実行されることにより、画像Ｃからなるデータ部Ａ２と、その付随情報からなるヘッダ部Ａ１を含む放送データが放送送信装置１１から送信され、画像Ｃの利用条件は、図１（ｂ）に示す利用条件部Ｂ２に示されている。
【００６５】
次に、放送受信装置２２が行う放送受信処理について説明する。
図５は、放送受信装置２２が行う放送受信処理を示すフロー図である。放送受信処理は、指示入力装置２１によって、コンテンツ情報の利用が指示入力されることに対応して開始される。
図５において、放送受信処理が開始されると、放送受信装置２２は、利用指示設定部３１によって、利用指示データに含まれる利用内容を利用指示情報として設定する（ステップＳ１０１）。
【００６６】
次に、放送受信装置２２は、放送受信部３２によって、画像Ｃを含む放送データを受信する（ステップＳ１０２）。
次に、放送受信装置２２は、利用条件識別部３３によって、画像Ｃの利用条件情報部Ｂ２における利用条件識別子Ｃ１の内容を識別する（ステップＳ１０３，Ｓ１０４）。
具体的には、利用条件識別部３３は、ステップＳ１０１で設定された利用内容に該当する利用条件を識別し（ステップＳ１０３）、利用内容に該当する利用条件が識別されない場合は、ステップＳ１１３の処理に移行する。
【００６７】
一方、ステップＳ１０３において、利用内容に該当する利用条件が識別された場合、利用条件識別部３３は、その利用条件が、利用の実行に先立って放送局側へのアクセスを必要とするものであるか否かを識別する（ステップＳ１０４）。
ステップＳ１０４において、識別された利用条件が、利用に先立って放送局側へのアクセスを必要としないものである場合、利用条件識別部３３は、ステップＳ１０６の処理に移行する。
【００６８】
一方、ステップＳ１０４において、識別された利用条件が、利用に先立って放送局側へのアクセスを必要とするものである場合、実行管理部３５が、利用データ出力部３７における利用データの出力を禁止する（ステップＳ１０５）。
そして、利用条件識別部３３は、利用内容に該当する利用条件について、通知要件部Ｃ２の指示内容を識別し（ステップＳ１０６）、識別された指示内容が、放送局側へのアクセスを必要とする内容である場合、アクセス情報送信部３４が、指示された内容のアクセス情報を、通知要件部Ｃ２で指示されている送信先アドレスに送信する（ステップＳ１０７）。
【００６９】
一方、ステップＳ１０６において、利用内容に該当する利用条件について、通知要件部Ｃ２が含まれていない（指示内容が識別されない）場合、放送受信装置２２は、放送受信処理を終了する。
ステップＳ１０７の後、利用条件識別部３３は、利用内容に該当する利用条件について、取得要件部Ｃ３の指示内容を識別し（ステップＳ１０８）、識別された指示内容が、放送局側からの応答情報を必要としない内容である場合は、ステップＳ１１３の処理に移行する。
【００７０】
一方、ステップＳ１０８において、識別された内容が、放送局側からの応答情報を必要とする内容である場合は、放送受信装置２２は、ステップＳ１０６で送信されたアクセス情報に対する放送局側からの応答情報を、回線接続装置２６を介して受信する（ステップＳ１０９）。
すると、実行管理部３５は、受信した応答情報の内容が、画像Ｃの利用を許可するものであるか否か（即ち、利用条件の取得指示部の指示内容に適合するか否か）を判定し（ステップＳ１１０）、画像Ｃの利用を許可するものでない場合、放送受信処理を終了する。
【００７１】
一方、ステップＳ１１０において、受信した応答情報の内容が、画像Ｃの利用を許可するものである場合、実行管理部３５は、ステップＳ１０８において識別された指示内容が加工用データの取得を指示するものであるか否かを判定し（ステップＳ１１１）、加工用データの取得を指示するものでないと判定した場合、ステップＳ１１３の処理に移行する。
【００７２】
一方、ステップＳ１１１において、ステップＳ１０８において識別された指示内容が加工用データの取得を指示するものであると判定した場合、実行管理部３５は、応答情報に含まれる加工用データによって放送データ加工部３６が放送データを加工する処理の完了（即ち、加工が完了したことを示す旨の信号の入力）を待ち（ステップＳ１１２）、放送データの加工が完了すると、利用データ出力部３７における利用データの出力を可能にする（ステップＳ１１３）。
【００７３】
そして、放送受信装置２２は、放送受信処理を終了する。
放送受信処理が実行されることにより、受信局側において、画像Ｃの印刷が指示されている場合には、印刷を行う旨のアクセス情報が放送局側に送信された後、印刷が実行される。また、受信局側において、画像Ｃの保存が指示されている場合には、保存に対する許可を要求する旨のアクセス情報が放送局側に送信され、放送局側から、保存に対する許可を示す応答情報を受信することに対応して、画像Ｃの保存が行われる。
【００７４】
次に、図２の利用管理装置１２が行うアクセス対応処理について説明する。
図６は、図２に示す利用管理装置１２が行うアクセス対応処理を示すフロー図である。アクセス対応処理は、放送局側システム２の稼動中、常に実行されている。
図６において、アクセス対応処理が開始されると、利用管理装置１２は、受信局側から送信されるアクセス情報を受け付ける（ステップＳ２０１）。このとき、画像Ｃの通知要件において指示されている内容のアクセス情報が受信される。
【００７５】
次に、利用管理装置１２は、ステップＳ２０１において受信したアクセス情報に基づいて、画像Ｃの利用条件に対応した情報処理を行う（ステップＳ２０２）。即ち、ステップＳ２０２においては、画像Ｃの視聴に対するモニタリング処理あるいは画像Ｃの保存に対する認証処理等が行われる。
次に、利用管理装置１２は、ステップＳ２０１において受信したアクセス情報が、応答情報の送信を要とする場合には、アクセス情報に対応する応答情報を受信局側に送信する（ステップＳ２０３）。即ち、ステップＳ２０３においては、画像Ｃの保存に対する利用許可が送信される。
【００７６】
そして、利用管理装置１２は、アクセス対応処理を終了する。
アクセス対応処理が実行されることにより、保存に対して許可が要求されている画像Ｃについて、受信局側から許可の要求を示すアクセス情報が行われた場合に、受信局側に対して許可を与えるための応答情報が送信される。
以上に説明したように、本実施の形態に係るデジタル放送システム１によれば、放送局側システム２は、利用条件識別子Ｃ１、通知要件部Ｃ２および取得要件部Ｃ３によって、コンテンツ情報に利用条件を設定することができる。そして、受信局側システム３においては、コンテンツ情報に設定された利用条件を識別し、その利用条件に応じてコンテンツ情報の利用を実行することが可能となる。
【００７７】
例えば、放送局側システム２は、利用条件を設定することにより、受信局側システム３にコンテンツ情報の利用内容を通知させ、受信局側システム２での利用状況をモニターしたり、放送番組の内容を充実させるための情報を収集したりすることができる。また、放送局側システム２が、受信局側システム３に利用許可を要求させることで、コンテンツ情報の不正な利用を防止することができる。
【００７８】
さらに、放送局側システム２が、受信局側システム３に加工用データを要求させることで、利用内容に応じた画質や音質を提供したり、再利用に対する利用条件を再設定したりすることができる。
したがって、本実施の形態に係るデジタル放送システム１によれば、デジタル放送で提供されるコンテンツ情報について、融通性のある利用条件を設定することが可能となる。
【００７９】
また、本実施の形態に係るデジタル放送システム１によれば、受信局側システム３は、利用したいコンテンツ情報が利用の目的に対して不十分な場合（例えば、印刷するためには解像度が低い場合等）や、データエラー等で不完全な場合（例えば、受信エラーにより画像の一部が欠落している場合等）に、放送局側システム２に要求してコンテンツ情報の追加や修復等ができるので、利用目的に適う画質や音質を得て情報を利用することができる。
【００８０】
さらに、本実施の形態に係るデジタル放送システム１によれば、受信局側システム３は、放送データ加工部３６に放送データの加工内容を指示することにより、放送データを加工することができるので、利用したいコンテンツ情報の出力形式を利用目的に応じて選択することができる。
例えば、画像や音声を文字（メール）に換えて転送し、表示サイズやメモリサイズに制限のある携帯電話やＰＤＡでその内容を表示したり、画像や文字を音声に換えて転送し、ドライブ中の車内や移動中の屋外でその内容を音声で聞いたりすることができる。
【００８１】
さらに、本実施の形態に係るデジタル放送システム１によれば、受信局側システム３は、利用指示情報の設定で、放送受信装置２２や回線接続装置２６に利用データの出力先や転送先を指示できるので、受信したコンテンツ情報を外出先等の情報端末５（例えば、携帯電話や、ＰＤＡや、カーナビゲーション装置等）に転送して利用（例えば、視聴）することができる。
【００８２】
また、本実施の形態に係るデジタル放送システム１によれば、放送データに利用条件を示す情報（利用条件識別子Ｃ１、通知要件部Ｃ２および取得要件部Ｃ３）が付加されているので、受信局側システム３は、コンテンツ情報の利用についての制約や許可要件を放送局側システム２に問い合わせる手続きが不要となり、利用に伴う照会や、コンテンツ情報の購入に要する決済手続き等の簡素化と迅速化が図れる。
【００８３】
なお、本実施の形態において、放送受信装置２２は、指示入力装置２１からの指示入力を記憶するための予約メモリや、放送受信データを一時的に記憶する受信データメモリを含むことが可能である。
なお、図２に示す各機能要素（３１〜３７）は、その一部または全体を半導体集積回路等の論理回路素子で具現化されてもよいし、ＣＰＵ（Ｃｅｎｔｒａｌ  Ｐｒｏｃｅｓｓｉｎｇ  Ｕｎｉｔ）で実行が可能なプログラム等のソフトウェア処理で具現化されてもよい。
【図面の簡単な説明】
【００８４】
【図１】本発明の一実施形態に係る放送データのデータ構成を示す図である。
【図２】本発明の一実施形態に係るデジタル放送システム１の構成図である。
【図３】放送受信装置２２の機能構成を示すブロック図である。
【図４】放送送信装置１１が行う放送送信処理を示すフロー図である。
【図５】放送受信装置２２が行う放送受信処理を示すフロー図である。
【図６】利用管理装置１２が行うアクセス対応処理を示すフロー図である。
【符号の説明】
【００８５】
１  デジタル放送システム、２  放送局側システム、３  受信局側システム、４  通信ネットワーク、５  情報端末、１１  放送送信装置、１２  利用管理装置、２１  指示入力装置、２２  放送受信装置、２３  視聴装置、２４  印刷装置、２５  記憶装置、２６  回線接続装置、３１  利用指示設定部、３２  放送受信部、３３  利用条件識別部、３４  アクセス情報送信部、３５  実行管理部、３６  放送データ加工部、３７  利用データ出力部
【図１】
2005109859.tif 000003
【図２】
2005109859.tif 000004
【図３】
2005109859.tif 000005
【図４】
2005109859.tif 000006
【図５】
2005109859.tif 000007
【図６】
2005109859.tif 000008